(57)【特許請求の範囲】
【請求項１】
可動家具部品（４）を開閉するための少なくとも１つの調整アーム（２）と、
前記調整アーム（２）を動作させるための駆動装置（５）と
を備え、
前記調整アーム（２）を前記駆動装置（５）とは独立して動作させることも可能にする連結器（９）が、前記調整アーム（２）と前記駆動装置（５）との間に配置された、取付装置（１）において、
前記連結器（９）を切り離すための力が、前記調整アーム（２）の位置に応じて異なることを特徴とする、取付装置。
【請求項２】
前記連結器（９）が、前記調整アーム（２）の位置に応じて異なる力で切り離されるロック手段（１５）を有する連結器として構成されていることを特徴とする、請求項１に記載の取付装置。
【請求項３】
前記ロック手段（１５）は、ばね（１７）を介してロック位置へとプレストレスが掛けられることを特徴とする、請求項２に記載の取付装置。
【請求項４】
前記ロック手段（１５）にプレストレスを掛けるためのばね力が可変であることを特徴とする、請求項２または３に記載の取付装置。
【請求項５】
前記ロック手段（１５）を切り離すための力を変化させるために、制御カム（２０）が前記調整アーム（２）に連結されることを特徴とする、請求項２〜４のいずれか一項に記載の取付装置。
【請求項６】
前記連結器（９）が駆動輪（１４）および出力輪（１１）を有し、前記駆動輪（１４）と前記出力輪（１１）との間に、ばね（１７）を介してプレストレスが掛けられる１つ以上のロック手段（１５）が配置されることを特徴とする、請求項１〜５のいずれか一項に記載の取付装置。
【請求項７】
制御カム（２０）が静止状態に配置され、かつ／または、前記出力輪（１１）および前記駆動輪（１４）の少なくとも１つまたはこれらの組合せが前記制御カム（２０）に対して可動であることを特徴とする、請求項６に記載の取付装置。
【請求項８】
前記制御カム（２０）が湾曲した形状であることを特徴とする、請求項５または７に記載の取付装置。
【請求項９】
前記ロック手段（１５）の各々が、前記駆動輪（１４）の開口内に少なくとも部分的に導入することのでき、ボルト状の形状であることを特徴とする、請求項６または７に記載の取付装置。
【請求項１０】
前記連結器の穏やかなロック解除のために、前記ロック手段（１５）に隣接して、丸みが付けられた移行部（３０）を前記開口に配置することを特徴とする、請求項９に記載の取付装置。
【請求項１１】
可動家具部品（４）が家具用のフラップである、請求項１〜１０のいずれか一項に記載の取付装置。
【発明の詳細な説明】
【技術分野】
【０００１】
本発明は、可動家具部品を開閉するための少なくとも１つの調整アームと、調整アームを動作させるための駆動装置とを備え、調整アームを駆動装置とは独立して動作させることも可能にする連結器が調整アームと駆動装置との間に配置された、従動式の取付装置、特に家具用のフラップ型取付装置に関する。
【背景技術】
【０００２】
国際公開第２００６／０９９６４５号パンフレットは、フラップが枢動自在の調整アームを介して可動である、家具用のフラップ型取付装置を開示している。調整アームはこの場合、ばねによってプレストレスを掛けられ、電気駆動装置によって可動である。調整アームの自由動作のために、制限された角度の回転範囲を介して少なくとも回転方向にフリーランニングを可能にする連結装置は、調整アームと駆動装置との間で動作する。これは、予め定められた角度の回転範囲にわたってフラップを手でも作動させることを可能にする。このフラップ型取付装置の欠点は、回転範囲の角度が使用事例に応じて変化することであり、正確には、フラップ型取付装置では、様々な力が調整アームに作用する。その結果、連結装置を切り離すために必要なトリガ動作は、調整アームの位置に応じて異なることがあり得、最適な適応がユーザには不可能である。
【発明の開示】
【発明が解決しようとする課題】
【０００３】
したがって、本発明の目的は、手動でも作動させることができ、かつ取扱いが改善された、従動式の取付装置を提供することである。
【課題を解決するための手段】
【０００４】
この目的は、請求項１の特徴を有する従動式の取付装置によって達成される。
【０００５】
本発明によると、調整アームと駆動装置との間の連結器を切り離すための力は、連結器の切離しがユーザによって可能な手動的作動に適応されるように、調整アームの位置に応じて調整可能である。この場合、連結器を切り離すための力は、動作する調整アームの要求に適応させることが可能であり、連結器の切離しをトリガするための機構は、旋回家具部品の重錘力のような他の影響から切り離すことができる。これにより、トリガ機構を調整アームのそれぞれの位置に最適に適応させることが可能になる。この場合、連結器を切り離すための力は、調整経路全体にわたって一定に設定したままにすることができ、または例えば閉じた家具部品では、偶発的に作動する可能性が低いので、連結器を切り離すための力は非常に低く設定することができる。
【０００６】
本発明の好適な構成では、連結器はロック式連結器として構成され、ロック手段は、調整アームの位置に応じて異なる力で解放することができる。この場合、ロック手段はばねを介してロック位置へとプレストレスが掛けられ、ロック手段にプレストレスを掛けるためのばね力は可変である。これにより連結器のトリガ機構の最適設定が可能になり、トリガ機構はそれぞれの意図される用途に応じて構成することができる。
【０００７】
機械的に確実なトリガ機構は、ロック手段をトリガするための力を変化させるために、調整アームに連結される制御カムを有することができる。制御カムは、この場合、ロック手段のプレストレスを調整アームの位置に応じて変化させることができる。
【０００８】
好ましくは、連結器は駆動輪および出力輪を有し、それらの間に、ばねを介してプレストレスを掛けられた１つまたはそれ以上のロック手段が配置される。これはまた、コンパクト設計をも生じる。この場合、制御カムは静止するように配置することができ、出力輪および／または駆動輪は再び制御カムに対して相対的に可動である。切離し後、次いで後の時点で駆動装置のスイッチを投入することができ、したがってロック手段をその後のモータ駆動作動用にロックすることが可能である。
【０００９】
好ましくは、制御カムはその形状が湾曲しており、変化する半径部のため、ばねを軸方向に移動させることができる。
【００１０】
各々を部分的に開口内に導入することのできるロック手段は、好ましくは、ボルト状の形状にすることができる。平坦な摺動面を有する他の形状のロック手段も使用することができる。
【００１１】
さらなる構成では、連結器のより穏やかなロック解除のために、ロック手段に隣接して、丸みを帯びた移行部を開口に配置する。これにより、連結手段の切離し中に摺動動作が可能になり、エッジ状移行部で発生し得るような顕著な摩耗が防止される。
【００１２】
本発明を以下で、複数の例示的実施形態に基づいて、かつ添付の図面を参照しながら、さらに詳細に説明する。
【発明を実施するための最良の形態】
【００１３】
取付装置１、特にフラップ型取付装置は、レバー機構３を介してフラップ４のような可動家具部品を枢動させることのできる、調整アーム２を備える。調整アーム２は、駆動装置５、たとえば電気モータを介して可動である。駆動装置５は、家具本体７に取り付けられる取付け板６に固定される。駆動装置５は最初に、複数の歯車から形成されかつ連結器９を介して調整アーム２に接続される、伝動装置８を駆動する。また、フラップ４の重錘力が開位置で相殺されるように、フラップ４に開位置でプレストレスを掛けることのできるばね１０も設けられる。
【００１４】
連結器９は、駆動装置５による調整アーム２の運動の切離しを可能にする。その結果、フラップ４はモータ駆動方式および手動のどちらでも動作することが可能である。これの理由は、例えば停電の結果、駆動装置５が機能しないとき、フラップ４の旋回領域に抵抗が存在するとき、またはユーザが駆動装置５と比べてより迅速にフラップ４を開けることを希望するときに、手動的作動が必要になるからである。
【００１５】
図３は、連結器９を詳細に示す。連結器９は出力輪１１を備え、それに接続板１２が固定され、接続板には調整アーム２が回転自在に連接される。この場合、調整アーム２は、出力輪１１の回転軸とは離して配置される。
【００１６】
連結器９のトリガ機構のための凹所１３が、出力輪１１に設けられる。トリガ機構は、ロック手段１５を介して出力輪１１に連結された駆動輪１４の切離しを可能にする。成形品として構成されるロック手段１５は、この場合、駆動輪１４の内周の開口２８に対してばね１７を介して押圧された状態に保持される。シャフト１９の方向に向けられた端部で、ばね１７はそれぞれの圧力片１６を介して固定される。ロック手段１５および圧力片１６、並びにばね１７も、出力輪１１の凹所１３内で案内される。ばね１７を相応に構成するならば、圧力片１６は省くこともできる。
【００１７】
出力輪１１の反対側には、複数の開口を有する蓋１８が設けられ、蓋１８を介してシャフト１９が案内される。シャフト１９には制御カム２０が装着され、または制御カム２０がシャフト１９と一体的に構成される。この場合、シャフト１９は取付け板６に固定される。
【００１８】
伝動歯車の両側の軸受のさらなる軸受点、およびシャフト１９の軸受点をも、伝動カバーに配置することができる（図示せず）。
【００１９】
図４に、ロック位置の連結器９を示す。駆動輪１４の回転により、ボルト状ロック手段１５への連結を介して、出力輪１１およびしたがって調整アーム２も動作する。可動家具部品４を手動で作動させる場合、ロック手段１５が駆動輪１４の内周で移動するように、ロック手段１５を駆動輪１４から切り離すことができる。連結器９をトリガするための力は、この場合、２つのロック手段１５を対応する開口２８から解放するために必要な力に対応する。この力は、ロック手段１５に作用する２つのばね１７のプレストレスによって異なる。この場合、ばね力は、ばね１７の内側に寄り掛かる圧力片１６が当接する制御ディスク２０を介して、可変である。調整アーム２の位置に応じて、２つのばね１７がより強くまたはより弱く圧迫されるので、成形品として構成されたロック手段１５を開口２８から外に移動させるために、調整アーム２の位置に応じて程度の異なる力を加えなければならない。
【００２０】
図５〜図７は、組み立てられた状態の連結器９を示す。駆動輪１４および出力輪１１は相互に隣接して配置され、したがってコンパクトな構造が生じる。
【００２１】
図８のＡは、制御ディスク２０の詳細図である。制御ディスクは中心開口２２を中心にシャフト１９に固定され、湾曲した制御カム２０は異なる半径部Ｒ１およびＲ２の領域を有する。比較的大きい半径部Ｒ２の領域が半径方向内側の圧力片１６と係合すると、ばね１７はより強く圧縮され、連結器９をトリガするための力は、比較的小さい半径部Ｒ１の領域の場合より大きくなる。制御ディスク２０はこの場合、特定の角度範囲にわたって利用することができるが、出力輪１１の１回転を超えて循環的に動作することも可能である。
【００２２】
図８のＢは、１領域に角２３が構成された、制御カム２０’の変形実施形態を示す。これは、調整アーム２の位置に応じて連結器９をトリガするための力のプロファイルに、比較的急激な変化を可能にする。角２３はまた、制御カム２０’の有用な範囲の限界をも形成することができる。回転対称な構成は、対向するばね１７の力を同期して変化させることを可能にする。
【００２３】
図８のＣは、湾曲したカムの代わりに、直線部分２５、角領域２４、および弧状経路２６を有する、変形制御カム２０’’を示す。
【００２４】
制御カム２０、２０’、２０’’の形状は、調整アーム２の位置に応じて連結器９をトリガするための所望の力を設定することを可能にするために、それぞれの意図する用途に応じて選択することができる。
【００２５】
図９のＡは、伝動装置８の歯車と係合する外歯２７を有する駆動輪１４を詳細に示す。ロック手段１５の外周と形状嵌合接続するように構成することのできる、２つの対向する弧状開口２８が駆動輪１４の内周に設けられる。しかし、ロック手段１５および開口２８の曲率を異なるように構成することも可能である。
【００２６】
図９のＢに示す駆動輪１４’の変形された例示的実施形態では、深さが比較的小さく、したがって切離しが容易である、三角形の開口２９が設けられる。
【００２７】
図１０は、相応して角張った形状のロック手段１５’’が挿入される、三角形の開口が内周に設けられた、駆動輪１４’’の変形実施形態を示す。これは、駆動輪１４’’の摺動面と相互作用する摺動面を各ロック手段に形成する。さらに、連結器９は、従前の例示的実施形態の場合と同様に構成することができる。
【００２８】
図１１のＡおよびＢは、ボルトとして構成されたロック手段１５が、ばね１７の力によって、駆動輪１４’’’の内周の略Ｖ字状開口内に保持される、駆動輪１４’’’のさらなる実施形態を示す。ロック手段１５の切離し中の摺動動作を可能にする、丸みが付けられた移行部３０が、駆動輪１４’’’の内周と開口との間に構成される。これにより、エッジ状移行部で発生するような顕著な摩耗が防止される。移行部３０の半径部は例えば、２ｍｍより大きく、好ましくは４ｍｍより大きいように構成することができる。
【００２９】
図示した例示的実施形態では、２つのロック手段１５が各々、ばね１７を介してプレストレスを加えられる。言うまでもなく、駆動輪１４にロック手段１５を１つだけ設けることも可能である。加えて、トリガ機構のために３つ以上のロック手段１５を設けることもできる。
【００３０】
図示した例示的実施形態では、制御カム２０は、出力輪１１の内側に配置される。言うまでもなく、相応する制御カムを外周に設け、内側で駆動輪を駆動することも可能である。
【００３１】
加えて、駆動装置５は連結器９と直接係合することもでき、必要であるならば、連結器９と調整アーム２との間に伝動装置を設けることができる。
【図面の簡単な説明】
【００３２】
【図１】本発明に係る取付装置の斜視図である。
【図２】図１の取付装置の分解組立図である。
【図３】図１の取付装置の連結器の分解組立図である。
【図４】図３の連結器の蓋の無い状態の下面図である。
【図５】本発明に係る取付装置の連結器の図である。
【図６】本発明に係る取付装置の連結器の図である。
【図７】本発明に係る取付装置の連結器の図である。
【図８】Ａ〜Ｃは取付装置の制御カムの異なる実施形態を示す。
【図９】ＡおよびＢは図１の取付装置の駆動輪の異なる実施形態を示す。
【図１０】取付装置の連結器の変形実施形態を示す。
【図１１】ＡおよびＢは取付装置の連結器のさらなる実施形態を示す。
【符号の説明】
【００３３】
１…取付装置、２…調整アーム、３…レバー機構、４…フラップ（可動家具部品）、５…駆動装置、６…取付け板、７…家具本体、８…伝動装置、９…連結器、１０、１７…ばね、１１…出力輪、１２…接続板、１３…凹所、１４、１４’１４’’、１４’’’…駆動輪、１５、１５’’…ロック手段、１６…圧力片、１８…蓋、１９…シャフト、２０、２０’、２０’’…制御カム、２２…中心開口、２３…角、２４…角領域、２５…直線部分、２６…弧状経路、２７…外歯、２８…開口、２９…三角形の開口、３０…移行部
【図１】
0005380666.tif 000002
【図２】
0005380666.tif 000003
【図３】
0005380666.tif 000004
【図４】
0005380666.tif 000005
【図５】
0005380666.tif 000006
【図６】
0005380666.tif 000007
【図７】
0005380666.tif 000008
【図８】
0005380666.tif 000009
【図９】
0005380666.tif 000010
【図１０】
0005380666.tif 000011
【図１１】
0005380666.tif 000012